【手続補正書】
【提出日】平成15年7月22日(2003.7.22)
【手続補正１】
【補正対象書類名】明細書
【補正対象項目名】特許請求の範囲
【補正方法】変更
【補正の内容】
【特許請求の範囲】
【請求項１】
光学的に画像の画角を変化させる第１の調節手段と、
電子的に画像の画角を変化させる第２の調節手段と、
前記第１の調節手段及び前記第２の調節手段を制御することにより画角を決定する制御手段とを備え、
前記制御手段は前記第２の調節手段により使用者の所望の画角に調節し、前記画角を保持しながら前記画角の制御を前記第２の調節手段から前記第１の調節手段に移行させるように構成されていること特徴する撮像装置。
【請求項２】
請求項１において、前記第１の調節手段では前記画角が保持できないとき、前記制御手段は前記第２の調節手段を用いることにより前記画角を保持させるように構成されていることを特徴とする撮像装置。
【請求項３】
請求項１において、前記第２の調節手段では前記画角を満たすことができないとき、前記第１の調節手段を用いることにより前記画角を決定することを特徴とする撮像装置。
【請求項４】
光学的に倍率を変化させる光学ズームと、
電子的に倍率を変化させる電子ズームと、
前記光学ズーム及び前記電子ズームにより画角の倍率を決定する制御手段とを備え、
前記制御手段は前記電子ズームを駆動させることにより使用者の所望の画角に制御した後、前記倍率を保持しながら光学ズームの制御に切り替えるように構成されていることを特徴とする撮像装置。
【請求項５】
請求項４において、前記電子ズームを駆動させることにより使用者の所望の画角に制御した後、前記光学ズーム及び前記電子ズームの少なくともいずれか一方が駆動限界まで達したときには前記光学ズーム及び前記電子ズームの駆動を停止させることを特徴とする撮像装置。
【請求項６】
光学的に画像の画角を変化させる第１の調節手段と、
電子的に画像の画角を変化させる第２の調節手段と、
前記第１の調節手段及び前記第２の調節手段を制御することにより画角を決定する制御手段とを備え、
前記制御手段は前記第１の調節手段及び前記第２の調節手段により前記使用者の所望の画角に調節したのち、前記画角を保持しながら前記画角の制御を前記第１の調節手段へ移行し前記第２の調節手段による前記画角の制御量を減少していくように構成されていることを特徴とする撮像装置。
【請求項７】
請求項６において、前記第１の調節手段では前記画角が保持できないとき、前記制御手段は前記第２の調節手段を補助として用いることにより前記画角を保持させるように構成されていることを特徴とする撮像装置。
【請求項８】
光学的に倍率を変化させる光学ズームと、
電子的に倍率を変化させる電子ズームと、
前記光学ズーム及び前記電子ズームにより画角の倍率を決定する制御手段とを備え、
前記制御手段は前記光学ズーム及び前記電子ズームを駆動させることにより使用者の所望の画角の倍率に制御した後、前記倍率を保持しながら前記倍率の制御を前記光学ズームに移行し前記電子ズームの制御量を減少していくように構成されていることを特徴とする撮像装置。
【請求項９】
請求項８において、前記光学ズーム及び前記電子ズームの少なくともいずれか一方が駆動限界まで達したときには前記光学ズーム及び前記電子ズームの駆動を停止させることを特徴とする撮像装置。
【請求項１０】
光学的に画像の画角を制御する第１の調節手段と、
電子的に画像の画角を制御する第２の調節手段と、
使用者の所望の被写体像の大きさを決定する決定手段と、
少なくとも前記第１の調節手段及び前記第２の調節手段の一つを駆動して画角を変化させることにより、前記決定手段によって決定された被写体像の大きさを保持する保持手段と、
前記保持手段により画像の画角が変化したときに、前記第１の制御手段及び前記第２の調節手段により前記画角に調節した後、前記画角を保持しながら前記画角の制御を前記第１の調節手段へ移行し、前記第２の調節手段による画角の制御量を減少させる制御手段とを有することを特徴とする撮像装置。
【請求項１１】
光学的に画像の倍率を変化させる光学ズームと、
電子的に画像の画角を変化させる電子ズームと、
前記光学ズーム及び前記電子ズームにより使用者の所望の被写体像の大きさを決定する決定スイッチと、
前記決定スイッチにより決定されたときの前記被写体像の大きさにおける画像の倍率及び被写体距離を記憶するメモリと、
被写体距離が変化したとき、前記メモリにより記憶された被写体距離との変化量及び前記メモリに記憶された前記画像の倍率に基づき前記決定された被写体像の大きさを保持するための倍率を演算する演算処理回路と、
前記演算処理回路により演算された演算倍率まで前記電子ズーム及び前記光学ズームを駆動させることにより前記演算倍率まで到達した後、前記演算倍率を保持しながら前記演算倍率の制御を前記光学ズームへ移行し、前記電子ズームによる前記演算倍率の制御量を減少させる制御回路とを具備することを特徴とする撮像装置。
【手続補正２】
【補正対象書類名】明細書
【補正対象項目名】０００８
【補正方法】変更
【補正の内容】
【０００８】
【課題を解決するための手段】
上記のような目的を達成するため、本願発明は、光学的に画像の画角を変化させる第１の調節手段と、電子的に画像の画角を変化させる第２の調節手段と、前記第１の調節手段及び前記第２の調節手段を制御することにより画角を決定する制御手段とを備え、前記制御手段は前記第２の調節手段により使用者の所望の画角に調節し、前記画角を保持しながら前記画角の制御を前記第２の調節手段から前記第１の調節手段に移行させるように構成されている。また、前記第１の調節手段では前記画角が保持できないとき、前記制御手段は前記第２の調節手段を補助として用いることにより前記画角を保持させるように構成されている。


【手続補正３】
【補正対象書類名】明細書
【補正対象項目名】０００９
【補正方法】変更
【補正の内容】
【０００９】
また、前記第２の調節手段では前記画角を満たすことができないとき、前記第１の調節手段を用いることにより前記画角を決定することを特徴とする。


【手続補正４】
【補正対象書類名】明細書
【補正対象項目名】００１２
【補正方法】変更
【補正の内容】
【００１２】
また、光学的に倍率を変化させる光学ズームと、電子的に倍率を変化させる電子ズームと、前記光学ズーム及び前記電子ズームにより画角の倍率を決定する制御手段とを備え、前記制御手段は前記光学ズーム及び前記電子ズームを駆動させることにより使用者の所望の画角の倍率に制御した後、前記倍率を保持しながら前記倍率の制御を前記光学ズームに移行し前記電子ズームの制御量を減少していくように構成されている。また、前記光学ズーム及び前記電子ズームの少なくともいずれか一方が駆動限界まで達したときには前記光学ズーム及び前記電子ズームの駆動を停止させることを特徴とする。


【手続補正５】
【補正対象書類名】明細書
【補正対象項目名】００１３
【補正方法】変更
【補正の内容】
【００１３】
また、光学的に画像の画角を制御する第１の調節手段と、電子的に画像の画角を制御する第２の調節手段と、使用者の所望の被写体像の大きさを決定する決定手段と、少なくとも前記第１の調節手段及び前記第２の調節手段の一つを駆動して画角を変化させることにより、前記決定手段によって決定された被写体像の大きさを保持する保持手段と、前記保持手段により画像の画角が変化したときに、前記第１の制御手段及び前記第２の調節手段により前記画角に調節した後、前記画角を保持しながら前記画角の制御を前記第１の調節手段へ移行し、前記第２の調節手段による画角の制御量を減少させる制御手段とを有することを特徴とする。


【手続補正６】
【補正対象書類名】明細書
【補正対象項目名】００１４
【補正方法】変更
【補正の内容】
【００１４】
また、光学的に画像の倍率を変化させる光学ズームと、電子的に画像の画角を変化させる電子ズームと、前記光学ズーム及び前記電子ズームにより使用者の所望の被写体像の大きさを決定する決定スイッチと、前記決定スイッチにより決定されたときの前記被写体像の大きさにおける画像の倍率及び被写体距離を記憶するメモリと、被写体距離が変化したとき、前記メモリにより記憶された被写体距離との変化量及び前記メモリに記憶された前記画像の倍率に基づき前記決定された被写体像の大きさを保持するための倍率を演算する演算処理回路と、前記演算処理回路により演算された演算倍率まで前記電子ズーム及び前記光学ズームを駆動させることにより前記演算倍率まで到達した後、前記演算倍率を保持しながら前記演算倍率の制御を前記光学ズームへ移行し、前記電子ズームによる前記演算倍率の制御量を減少させる制御回路とを具備することを特徴とする。